(57)【要約】【課題】ユーザは、第１の基地局の通信不感地帯をカバーする第２の基地局の設置を維持するか否か判断することが可能となる。【解決手段】探索部１ａは、基地局３の通信不感地帯をカバーする基地局２での待ち受け中、通信が可能な基地局３を定期的に探索する。通知部１ｂは、探索部１ａによって基地局３が探索された場合、探索部１ａの探索結果をユーザに通知する。【選択図】図１
2013046201.tif 000002
【特許請求の範囲】
【請求項１】
第１の基地局と、前記第１の基地局の通信不感地帯をカバーする第２の基地局との通信が可能な無線端末において、
前記第２の基地局での待ち受け中、通信が可能な前記第１の基地局を探索する探索部と、
前記探索部によって前記第１の基地局が探索された場合、前記探索部の探索結果をユーザに通知する通知部と、
を有することを特徴とする無線端末。
【請求項２】
前記第２の基地局の通信エリアは、前記第１の基地局の通信エリアよりも小さいことを特徴とする請求項１記載の無線端末。
【請求項３】
前記探索部は、前記ユーザの設置した前記第２の基地局での待ち受け中、前記第１の基地局を定期的に探索することを特徴とする請求項１または２に記載の無線端末。
【請求項４】
前記ユーザの設定に基づいて、通信が可能な前記第１の基地局を定期的に探索するように前記探索部に指示する探索指示部をさらに有することを特徴とする請求項１乃至３のいずれかに記載の無線端末。
【請求項５】
前記ユーザの設定または指示に基づいて、前記第１の基地局での待ち受けを行うように前記探索部に指示する切替え指示部をさらに有することを特徴とする請求項１乃至３のいずれかに記載の無線端末。
【請求項６】
前記第２の基地局または前記第１の基地局に発信要求する発信要求部と、
前記発信要求部が待ち受け中の前記第２の基地局または前記第１の基地局に発信要求してサービス提供するサーバにアクセスできなかった場合、他方の基地局に発信要求をするように切替え指示する切替え指示部と、
をさらに有することを特徴とする請求項１乃至３のいずれかに記載の無線端末。
【請求項７】
前記第２の基地局または前記第１の基地局に発信要求する発信要求部と、
前記ユーザが受けようとするサービス情報と発信要求する基地局の情報とを対応付けて記憶したテーブルと、
前記ユーザが受けようとする前記サービス情報に対応する前記基地局と前記探索部の待ち受け中の前記基地局とが異なる場合、発信要求する前記基地局を切替えるように切替え指示する切替え指示部と、
をさらに有することを特徴とする請求項１乃至３のいずれかに記載の無線端末。
【請求項８】
第１の基地局と、前記第１の基地局の通信不感地帯をカバーする第２の基地局との通信が可能な無線端末の基地局通知方法において、
前記第２の基地局での待ち受け中、通信が可能な前記第１の基地局を定期的に探索し、
通信が可能な前記第１の基地局を探索した場合、探索結果をユーザに通知する、
ことを特徴とする基地局通知方法。
【発明の詳細な説明】
【技術分野】
【０００１】
本件は、無線通信を行う無線端末およびその基地局通知方法に関する。
【背景技術】
【０００２】
携帯電話などの移動通信システムには、例えば、半径数百ｍから十数ｋｍのマクロセルを形成する携帯電話基地局がある。マクロセル同士の境界領域やマンション、ビルなどの建物の周囲では、電波強度が微弱となり、通信ができない不感地帯が生まれる。
【０００３】
そこで、キャリアは、不感地帯対策として、例えば、各家庭などに小セルの基地局を配置するフェムトセルサービスを展開している。例えば、ユーザは、マクロセルの不感地帯に、半径数十ｍのフェムトセルを形成するフェムトセル基地局を設置することにより、不感地帯での通信が可能になる。フェムトセル基地局は、アクセスポイント基地局と呼ばれることもある。
【０００４】
なお、従来、利便性が向上するフェムトセル基地局が提供されている（例えば、特許文献１参照）。
【先行技術文献】
【特許文献】
【０００５】
【特許文献１】特開２０１０−１６６０２号公報
【発明の概要】
【発明が解決しようとする課題】
【０００６】
ところで、フェムトセル基地局を設置したユーザは、フェムトセル基地局を設置した後、その設置場所がマクロセル基地局の圏内に属するようになったか否か知らない。そのため、ユーザは、マクロセル基地局へのアクセスが可能になった場合でも、フェムトセル基地局を設置し続けるという問題点があった。
【０００７】
例えば、あるユーザは、自宅においてマクロセル基地局の電波が届かないため、自宅にフェムトセル基地局を設置したとする。その後、その設置場所は、マクロセル基地局の電波状況が改善され、マクロセル基地局の圏内に属するようになったとする。
【０００８】
しかし、ユーザは、自宅がマクロセル基地局の圏内に属することになっても、それを知らないため、フェムトセル基地局を設置し続けてしまう。
本件はこのような点に鑑みてなされたものであり、ユーザが第１の基地局の通信不感地帯をカバーする第２の基地局の設置を維持するか否か判断することが可能になる無線端末および基地局通知方法を提供することを目的とする。
【課題を解決するための手段】
【０００９】
上記課題を解決するために、第１の基地局と、前記第１の基地局の通信不感地帯をカバーする第２の基地局との通信が可能な無線端末が提供される。この無線端末は、前記第２の基地局での待ち受け中、通信が可能な前記第１の基地局を探索する探索部と、前記探索部によって前記第１の基地局が探索された場合、前記探索部の探索結果をユーザに通知する通知部と、を有する。
【発明の効果】
【００１０】
開示の装置および方法によれば、ユーザは、第１の基地局の通信不感地帯をカバーする第２の基地局の設置を維持するか否か判断することが可能となる。
【図面の簡単な説明】
【００１１】
【図１】第１の実施の形態に係る無線端末を示した図である。
【図２】第２の実施の形態に係る無線端末を適用した移動通信システムの例を示した図である。
【図３】無線端末のハードウェア構成例を示した図である。
【図４】無線端末の機能ブロックを示した図である。
【図５】無線端末の動作を説明するフローチャートである。
【図６】マクロセルの自動切替えが設定されていない場合の移動通信システムのシーケンス図である。
【図７】マクロセルの自動切替えが設定されている場合の移動通信システムのシーケンス図である。
【図８】マクロセルの自動切替えが設定されていない場合のディスプレイの画面例を示した図である。
【図９】マクロセルの自動切替えが設定されている場合のディスプレイの画面例を示した図である。
【図１０】第３の実施の形態に係る無線端末の機能ブロックを示した図である。
【図１１】無線端末がフェムトセルにおいて発信要求を行った場合の移動通信システムのシーケンス図である。
【図１２】無線端末がマクロセルにおいて発信要求を行った場合の移動通信システムのシーケンス図である。
【図１３】第４の実施の形態に係る無線端末の機能ブロックを示した図である。
【図１４】サービスＴＢのデータ構成例を示した図である。
【図１５】サービス登録を行うディスプレイの画面例を示した図である。
【図１６】サービス登録をした場合の移動通信システムのシーケンス図のその１である。
【図１７】サービス登録をした場合の移動通信システムのシーケンス図のその２である。
【発明を実施するための形態】
【００１２】
以下、実施の形態を、図面を参照して詳細に説明する。
［第１の実施の形態］
図１は、第１の実施の形態に係る無線端末を示した図である。図１に示すように、無線端末１は、探索部１ａおよび通知部１ｂを有している。図１には、基地局３と、基地局３の通信不感地帯をカバーする基地局２も示している。基地局２は、例えば、フェムトセル基地局であり、基地局３は、例えば、携帯電話基地局である。携帯電話基地局は、マクロセル基地局と呼ぶこともある。無線端末１は、基地局２，３の両方と無線通信することができる。無線端末１は、例えば、携帯電話機である。
【００１３】
無線端末１の探索部１ａは、基地局２での待ち受け中、通信が可能な基地局３を定期的に探索する。例えば、探索部１ａは、基地局２での待ち受け中、１時間ごとまたは１日ごとに、通信が可能な基地局３を探索する。
【００１４】
なお、待ち受け中とは、例えば、無線端末１の電源が投入され、基地局２または基地局３に発信することができる状態および基地局２または基地局３から着信することができる状態をいう。
【００１５】
通知部１ｂは、探索部１ａによって基地局３が探索された場合、探索部１ａの探索結果を無線端末１のユーザに通知する。例えば、通知部１ｂは、探索部１ａによって基地局３が探索された場合、基地局３が探索できた旨を、表示画面に表示し、ユーザに通知する。
【００１６】
以下、無線端末１の動作を説明する。まず、無線端末１のユーザの自宅は、基地局３の不感地帯にあるとする。そのため、無線端末１のユーザは、自宅に基地局２を設置したとする。
【００１７】
無線端末１の探索部１ａは、基地局２での待ち受け中、通信が可能な基地局３を定期的に探索する。通知部１ｂは、探索部１ａによって基地局３が探索された場合、探索部１ａの探索結果を無線端末１のユーザに通知する。
【００１８】
ここで、無線端末１のユーザの自宅は、基地局３の不感地帯にあるので、探索部１ａは、基地局３を探索できない。よって、通知部１ｂは、探索結果をユーザに通知しない。
その後、基地局３の電波状況が改善し、基地局３のセルは、無線端末１のユーザの自宅もカバーできるようになったとする。この場合、基地局３は、探索部１ａによって探索されることになる。そして、通知部１ｂは、例えば、無線端末１の表示画面に、基地局３が探索できたことを表示し、ユーザに通知する。
【００１９】
なお、探索部１ａが、基地局２での待ち受け中に、基地局３を探索したということは、無線端末１のユーザの自宅が基地局３の圏内に属することになったといえる。すなわち、ユーザは、基地局２を撤去して、基地局３を介して通信しもよいし、自宅に基地局２を設置し続け、基地局２を介して通信をしてもよい状況になっている。つまり、ユーザは、例えば、無線端末１の表示画面から、基地局３が探索できたことの通知を受けることにより、自分の基地局２の設置を維持するかどうか判断することができる。
【００２０】
このように、無線端末１は、基地局２での待ち受け中、通信が可能な基地局３を定期的に探索し、基地局３を探索できた場合、探索結果をユーザに通知するようにした。これにより、ユーザは、自宅が基地局３のセルに属することになったことを知ることができ、基地局２の設置を維持するかどうか判断することができる。
【００２１】
［第２の実施の形態］
次に、第２の実施の形態を、図面を参照して詳細に説明する。
図２は、第２の実施の形態に係る無線端末を適用した移動通信システムの例を示した図である。図２に示すように、移動通信システムは、無線端末１１、フェムトセル基地局１２、マクロセル基地局２１，２２、およびネットワーク３０を有している。自宅１０は、無線端末１１のユーザの自宅を示している。
【００２２】
無線端末１１は、例えば、携帯電話機である。無線端末１１は、フェムトセル基地局１２およびマクロセル基地局２１，２２と無線通信を行うことができる。無線端末１１は、例えば、ＣＤＭＡ（Code Division Multiple Access）またはＬＴＥ（Long Term Evolution）によって、フェムトセル基地局１２およびマクロセル基地局２１，２２と無線通信を行うことができる。
【００２３】
無線端末１１は、フェムトセルとマクロセルとの両方に属する場合、フェムトセルでの待ち受けを優先する。ただし、無線端末１１は、ユーザの設定等によっては、マクロセルでの待ち受けを行う。
【００２４】
フェムトセル基地局１２は、例えば、半径数十ｍのフェムトセルを形成する。フェムトセル基地局１２は、例えば、光ファイバやＡＤＳＬ（Asymmetric Digital Subscriber Line）などの有線によって、制御局３１と接続されている。
【００２５】
フェムトセル基地局１２は、例えば、マクロセル基地局２１，２２の不感地帯の通信をカバーするために設置される。図２の例では、無線端末１１のユーザの自宅１０は、マクロセル基地局２１，２２の不感地帯にあり、フェムトセル基地局１２は、無線端末１１のユーザの自宅１０に設置されている。
【００２６】
マクロセル基地局２１，２２は、例えば、半径数百ｍから十数ｋｍのマクロセルを形成する。マクロセル基地局２１，２２は、有線によって制御局３２と接続されている。
ネットワーク３０は、制御局３１，３２およびサーバ３３〜３５から形成されている。制御局３１，３２は、例えば、ＲＮＣ（Radio Network Control）やＳ−ＧＷ（Serving GateWay）などである。
【００２７】
サーバ３３〜３５は、無線端末１１に、例えば、映像や音楽などのコンテンツのサービスを提供するサーバである。サーバ３３は、制御局３１，３２に接続されている。サーバ３４は、制御局３２に接続されている。サーバ３５は、制御局３１に接続されている。
【００２８】
従って、無線端末１１は、フェムトセル基地局１２および制御局３１を介して、サーバ３３，３５のサービスを受けることができる。また、無線端末１１は、マクロセル基地局２１，２２および制御局３２を介して、サーバ３３，３４のサービスを受けることができる。なお、無線端末１１は、フェムトセル基地局１２および制御局３１を介して、サーバ３４のサービスを受けることができない。また、無線端末１１は、マクロセル基地局２１，２２および制御局３２を介して、サーバ３５のサービスを受けることができない。
【００２９】
図３は、無線端末のハードウェア構成例を示した図である。図３に示すように、無線端末１１は、ＣＰＵ（Central Processing Unit）１１ａ、フラッシュメモリ１１ｂ、ＲＡＭ（Random Access Memory）１１ｃ、無線部１１ｄ、ディスプレイ（ＤＩＳＰ）１１ｅ、キー１１ｆ、マイク１１ｇ、スピーカ１１ｈ、ＧＰＳ（Global Positioning System）１１ｉ、およびバス１１ｊを有している。
【００３０】
ＣＰＵ１１ａには、バス１１ｊを介してフラッシュメモリ１１ｂ、ＲＡＭ１１ｃ、無線部１１ｄ、ＤＩＳＰ１１ｅ、キー１１ｆ、マイク１１ｇ、スピーカ１１ｈ、およびＧＰＳ１１ｉが接続されている。
【００３１】
フラッシュメモリ１１ｂには、ＣＰＵ１１ａに実行させるアプリケーションプログラムが格納されている。
ＲＡＭ１１ｃには、ＣＰＵ１１ａで処理されるデータや計算途中、計算結果などのデータが一時的に記憶される。
【００３２】
無線部１１ｄは、アンテナで受信された無線信号をベースバンド信号に変換する。また、無線部１１ｄは、ベースバンド信号を無線信号に変換し、アンテナに出力する。また、無線部１１ｄは、フェムトセル基地局１２およびマクロセル基地局２１，２２との間の信号の送受信を制御する。
【００３３】
ＤＩＳＰ１１ｅは、例えば、ＬＣＤ（Liquid Crystal Display）である。ＤＩＳＰ１１ｅは、バス１１ｊを介してＣＰＵ１１ａからデータを受信し、データを画面に表示する。キー１１ｆは、入力されたデータを、バス１１ｊを介してＣＰＵ１１ａに出力する。マイク１１ｇは、例えば、音声を電気信号に変換する。スピーカ１１ｈは、例えば、電気信号を音声に変換する。ＧＰＳ１１ｉは、衛星からの信号に基づいて、無線端末１１の位置情報（緯度および経度）を算出する。
【００３４】
図４は、無線端末の機能ブロックを示した図である。図４に示すように、無線端末１１は、無線制御部４１、プロトコル制御部４２、ＧＰＳ制御部４３、ネットワーク制御部４４、およびマクロ／フェムト切替え部４５を有している。図４に示す無線制御部４１、プロトコル制御部４２は、例えば、図３の無線部１１ｄによってその機能が実現される。ＧＰＳ制御部４３は、例えば、図３のＧＰＳ１１ｉによって、その機能が実現される。ネットワーク制御部４４およびマクロ／フェムト切替え部４５は、例えば、図３のＣＰＵ１１ａによってその機能が実現される。
【００３５】
無線制御部４１は、アンテナで受信された無線信号をベースバンド信号に変換する。また、無線制御部４１は、ベースバンド信号を無線信号に変換し、アンテナに出力する。
プロトコル制御部４２は、フェムトセル基地局１２およびマクロセル基地局２１，２２との間の信号の送受信を制御する。
【００３６】
ＧＰＳ制御部４３は、衛星からの信号に基づいて、無線端末１１の位置情報（緯度および経度）を算出する。
ネットワーク制御部４４は、探索部４４ａを有している。探索部４４ａは、フェムトセル基地局１２での待ち受け中、通信が可能なマクロセル基地局２１，２２を定期的に探索する。例えば、探索部４４ａは、フェムトセル基地局１２での待ち受け中、１時間ごとまたは１日ごとに、通信が可能なマクロセル基地局２１，２２を探索する。
【００３７】
探索部４４ａは、ＧＰＳ制御部４３から出力される無線端末１１の位置情報に基づいて、フェムトセル基地局１２での待ち受け中を判断する。例えば、図３に示すフラッシュメモリ１１ｂには、自宅１０またはフェムトセル基地局１２の設置された位置情報が記憶されている。探索部４４ａは、フラッシュメモリ１１ｂに記憶されている位置情報と、ＧＰＳ制御部４３から出力される位置情報とから、フェムトセル基地局１２での待ち受け中であるか否か判断する。例えば、探索部４４ａは、ＧＰＳ制御部４３から出力される位置情報が、フラッシュメモリ１１ｂに記憶されている位置情報を中心とした所定の半径内にあるとき、フェムトセル基地局１２での待ち受け中であると判断する。
【００３８】
探索部４４ａが、ユーザの設置したフェムトセル基地局１２での待ち受け中を判断するのは、無線端末１１が他のユーザのフェムトセル基地局にアクセスできる場合があるからである。例えば、無線端末１１は、他のユーザのフェムトセル基地局の待ち受け中にマクロセルの探索ができ、その旨が図３で説明したＤＩＳＰ１１ｅに表示されたとする。この場合、無線端末１１のユーザは、他のユーザの設置したフェムトセル基地局の設置維持を判断することになるからである。
【００３９】
探索部４４ａは、探索指示部４５ａからの指示に応じて、マクロセル基地局２１，２２の定期的な探索を行う。例えば、探索部４４ａは、探索指示部４５ａから探索実施の指示を受けた場合に、マクロセル基地局２１，２２の定期的な探索を行う。また、探索部４４ａは、探索指示部４５ａから探索実施の指示を受けていない場合は、マクロセル基地局２１，２２の定期的な探索を行わない。
【００４０】
探索部４４ａは、例えば、マクロセル基地局２１，２２から送信されるパイロット信号により、マクロセル基地局２１，２２の電波強度を算出し、マクロセル基地局２１，２２の探索を行う。探索部４４ａは、例えば、マクロセル基地局２１，２２の電波強度が所定の閾値以上の場合、マクロセル基地局２１，２２を探索できた（マクロセル圏内に存在している）と判断する。
【００４１】
探索部４４ａは、切替え指示部４５ｃからマクロセルでの待ち受け指示があった場合、フェムトセルの優先待ち受けを中止し、マクロセルでの待ち受けを行う。例えば、図２で示す自宅１０は、フェムトセル基地局１２のフェムトセルに属している状態から、フェムトセル基地局１２のフェムトセルと、マクロセル基地局２１のマクロセルとの両方に属することになったとする。この場合、探索部４４ａは、フェムトセル基地局１２での待ち受けを優先するが、切替え指示部４５ｃから切替え指示があった場合、マクロセル基地局２１での待ち受けを行う。
【００４２】
マクロ／フェムト切替え部４５は、探索指示部４５ａ、通知部４５ｂ、および切替え指示部４５ｃを有している。探索指示部４５ａは、探索部４４ａに、マクロセル基地局２１，２２の定期的な探索を行うか否かの指示を出力する。
【００４３】
探索指示部４５ａは、例えば、図３で示したキー１１ｆから、ユーザの入力を受け付けて、定期的な探索を行うか否かの指示を探索部４４ａに出力する。例えば、無線端末１１のユーザが、キー１１ｆでマクロセル基地局２１，２２の探索を行うよう設定した場合、探索指示部４５ａは、探索部４４ａに対し、通信が可能なマクロセル基地局２１，２２の探索指示を行う。
【００４４】
通知部４５ｂは、探索部４４ａによってマクロセル基地局２１，２２が探索された場合、探索部４４ａの探索結果を無線端末１１のユーザに通知する。例えば、通知部４５ｂは、探索部４４ａによってマクロセル基地局２１が探索された場合、マクロセル基地局２１が探索できた旨を、ＤＩＳＰ１１ｅ表示し、ユーザに通知する。または、通知部４５ｂは、スピーカ１１ｈにより、音によってユーザに通知するようにしてもよい。
【００４５】
切替え指示部４５ｃは、無線端末１１が自宅１０においてマクロセル基地局２１，２２のマクロセルにも属することになった場合、ユーザの設定または指示に基づいて、マクロセルでの待ち受けを行うよう探索部４４ａに指示する。例えば、切替え指示部４５ｃは、キー１１ｆを介して、ユーザから自動でマクロセル切替えを行うように設定されている場合、探索部４４ａによってマクロセルが探索されると、自動でマクロセルでの待ち受けを行うよう探索部４４ａに指示する。また、切替え指示部４５ｃは、ユーザから自動でマクロセル切替えを行うように設定されていない場合、キー１１ｆを介した、ユーザからの指示に基づいて、マクロセルでの待ち受けを行うよう探索部４４ａに指示する。
【００４６】
図５は、無線端末の動作を説明するフローチャートである。
［ステップＳ１］探索指示部４５ａは、フェムトセル探索の有効が設定されているとする。すなわち、探索指示部４５ａは、ユーザからマクロセル基地局２１，２２の定期的探索を行うよう指示されているとする。
【００４７】
［ステップＳ２］探索部４４ａは、ＧＰＳ制御部４３の位置情報に基づき、自フェムトセル基地局での待ち受け中であるか判断する。すなわち、探索部４４ａは、自宅１０のフェムトセル基地局１２での待ち受け中であるか判断する。探索部４４ａは、フェムトセル基地局１２での待ち受け中であると判断した場合、ステップＳ６へ進む。探索部４４ａは、フェムトセル基地局１２での待ち受け中でないと判断した場合、ステップＳ３へ進む。
【００４８】
［ステップＳ３］探索部４４ａは、マクロセルの待ち受け中であるか判断する。探索部４４ａは、マクロセルの待ち受け中であると判断した場合、ステップＳ４へ進む。探索部４４ａは、マクロセルの待ち受け中でないと判断した場合、ステップＳ５へ進む。
【００４９】
［ステップＳ４］探索部４４ａは、無線端末１１がマクロセル圏内に存在していると判断する。
［ステップＳ５］探索部４４ａは、無線端末１１がフェムトセルおよびマクロセルの圏外に存在していると判断する。
【００５０】
［ステップＳ６］探索部４４ａは、通信可能なマクロセル基地局２１，２２の定期的な探索を行う。例えば、探索部４４ａは、１時間ごとまたは１日ごとに、通信が可能なマクロセル基地局２１，２２を探索する。
【００５１】
［ステップＳ７］探索部４４ａは、マクロセル基地局２１，２２のマクロセル圏内に存在しているか判断する。探索部４４ａは、マクロセル基地局２１，２２のマクロセル圏内に存在していると判断した場合、ステップＳ８へ進む。探索部４４ａは、マクロセル基地局２１，２２のマクロセル圏内に存在していないと判断した場合、ステップＳ６へ進む。
【００５２】
［ステップＳ８］通知部４５ｂは、探索部４４ａの探索結果を無線端末１１のユーザに通知する。例えば、通知部４５ｂは、探索部４４ａによってマクロセル基地局２１が探索された場合、マクロセル基地局２１が探索できた旨を、ＤＩＳＰ１１ｅに表示し、ユーザに通知する。
【００５３】
［ステップＳ９］切替え指示部４５ｃは、キー１１ｆを介して、ユーザから自動でマクロセル切替えを行うように設定されているか判断する。切替え指示部４５ｃは、ユーザから自動でマクロセル切替えを行うように設定されている場合、ステップＳ１０へ進む。切替え指示部４５ｃは、ユーザから自動でマクロセル切替えを行うように設定されていない場合、ステップＳ１１へ進む。
【００５４】
［ステップＳ１０］切替え指示部４５ｃは、自動で探索部４４ａの待ち受けをマクロセルに切替える。
［ステップＳ１１］切替え指示部４５ｃは、手動で探索部４４ａの待ち受けをマクロセルに切替える。例えば、切替え指示部４５ｃは、ユーザからマクロセルでの待ち受けに切替えるように指示があった場合、フェムトセル基地局１２での待ち受けから、マクロセル基地局２１での待ち受けに切替えるよう探索部４４ａに指示する。
【００５５】
図６は、マクロセルの自動切替えが設定されていない場合の移動通信システムのシーケンス図である。図６では、切替え指示部４５ｃは、ユーザから、自動でマクロセル切替えを行うように設定されていないとする。
【００５６】
［ステップＳ２１］探索部４４ａは、フェムトセルの待ち受け中にあるとする。
［ステップＳ２２］探索指示部４５ａは、フェムトセル探索の有効が設定されているとする。すなわち、探索指示部４５ａは、ユーザからマクロセル基地局２１，２２の定期的探索を行うよう指示されているとする。
【００５７】
［ステップＳ２３］探索部４４ａは、ＧＰＳ制御部４３の位置情報に基づき、自フェムトセル基地局での待ち受け中であるか判断する。ここでは、探索部４４ａは、自フェムトセル基地局（フェムトセル基地局１２）での待ち受け中であると判断したとする。
【００５８】
［ステップＳ２４］探索部４４ａは、通信可能なマクロセル基地局２１，２２を定期的に探索する。
［ステップＳ２５］探索部４４ａは、通信可能なマクロセル基地局として、マクロセル基地局２１を探索したとする。
【００５９】
［ステップＳ２６］通知部４５ｂは、マクロセル基地局２１のマクロセルを探索できたことを無線端末１１のユーザに通知する。
［ステップＳ２７］切替え指示部４５ｃは、ユーザからマクロセルの切替え指示を受け付ける。ここでは、切替え指示部４５ｃは、ユーザからマクロセルの切替えを行うように指示を受け付けたとする。
【００６０】
［ステップＳ２８］探索部４４ａは、フェムトセル基地局１２の待ち受けから、マクロセル基地局２１の待ち受けに切替える。
図７は、マクロセルの自動切替えが設定されている場合の移動通信システムのシーケンス図である。図７では、切替え指示部４５ｃは、ユーザから、自動でマクロセル切替えを行うように設定されているとする。
【００６１】
図７に示すステップＳ３１〜Ｓ３６の処理は、図６で説明したステップＳ２１〜Ｓ２６の処理と同様であり、その説明を省略する。
［ステップＳ３７］切替え指示部４５ｃは、自動でマクロセルでの待ち受けを行うよう探索部４４ａに指示する。
【００６２】
［ステップＳ３８］探索部４４ａは、フェムトセル基地局１２の待ち受けから、マクロセル基地局２１の待ち受けに切替える。
図８は、マクロセルの自動切替えが設定されていない場合のディスプレイの画面例を示した図である。
【００６３】
図８の（Ａ）は、マクロセルの定期探索設定の画面例を示している。無線端末１１のユーザは、キー１１ｆの操作によって、‘ＯＮ’または‘ＯＦＦ’を選択する。
探索指示部４５ａは、‘ＯＮ’が選択された場合、探索部４４ａに対し、通信が可能なマクロセル基地局２１，２２の探索指示を行う。探索指示部４５ａは、‘ＯＦＦ’が選択された場合、探索部４４ａに対し、通信が可能なマクロセル基地局２１，２２の探索指示を行わない。図８の（Ａ）の例では、‘ＯＮ’が選択されているので、探索指示部４５ａは、探索部４４ａに対し、通信が可能なマクロセル基地局２１，２２の探索指示を行う。
【００６４】
図８の（Ｂ）は、マクロセルの自動切替え設定の画面例を示している。無線端末１１のユーザは、キー１１ｆの操作によって、‘ＯＮ’または‘ＯＦＦ’を設定する。図８の（Ｂ）の例では、‘ＯＦＦ’が設定されている。
【００６５】
図８の（Ｃ）は、マクロセルが探索された場合の画面例を示している。通知部４５ｂは、探索部４４ａによってマクロセルが探索されると、図８の（Ｃ）に示すような画面を表示して、マクロセルが見つかったことをユーザに通知する。また、図８の（Ｃ）に示すように、無線端末１１のＤＩＳＰ１１ｅには、ユーザにフェムトセルからマクロセルに切替えるかを問う画面が表示される。
【００６６】
図８の（Ｄ）は、フェムトセルからマクロセルへの切替えが行われたときの画面例を示している。図８の（Ｃ）において、ユーザがキー１１ｆの操作により‘はい’を選択した場合、切替え指示部４５ｃは、フェムトセルからマクロセルへ待ち受けを切替えるよう探索部４４ａに指示する。これにより、無線端末１１のＤＩＳＰ１１ｅには、図８の（Ｄ）に示すように、フェムトセルからマクロセルへ待ち受けが切り替わったことが表示される。なお、図８の（Ｄ）では、ＤＩＳＰ１１ｅの上部の表示が‘femto’から‘Macro’に変わっている。
【００６７】
図９は、マクロセルの自動切替えが設定されている場合のディスプレイの画面例を示した図である。
図９の（Ａ）は、マクロセルの定期探索設定の画面例を示している。図９の（Ａ）は、図８の（Ａ）と同様であり、その説明を省略する。
【００６８】
図９の（Ｂ）は、マクロセルの自動切替え設定の画面例を示している。図９の（Ａ）では、図８の（Ｂ）の例に対し、‘ＯＮ’が設定されている。
図９の（Ｃ）は、マクロセルが探索された場合の画面例を示している。通知部４５ｂは、探索部４４ａによってマクロセルが探索されると、図８の（Ｃ）に示すような画面を表示して、マクロセルが見つかったことをユーザに通知する。また、マクロセルの自動切替えが設定されているので、探索部４４ａは、自動でフェムトセルからマクロセルに待ち受けを切替え、ＤＩＳＰ１１ｅには、図９の（Ｃ）に示すように‘マクロセルが見つかりました。’‘マクロセルに切り替えました。’が表示される。
【００６９】
このように、無線端末１１は、フェムトセル基地局１２での待ち受け中、通信が可能なマクロセル基地局２１，２２を定期的に探索し、マクロセル基地局２１，２２を探索できた場合、探索結果をユーザに通知するようにした。これにより、ユーザは、自宅１０がマクロセル基地局２１，２２のマクロセルに属することになったことを知ることができ、フェムトセル基地局１２の設置を維持するかどうか判断することができる。
【００７０】
また、ユーザは、マクロセルに属することとなった旨の通知を受けたことにより、フェムトセル基地局１２の設置維持が不要であると判断した場合、例えば、キャリアとのフェムトセル通信契約を解除することが可能となり、コストの低減を図ることができる。また、ユーザは、フェムトセル基地局１２をネットワーク３０へ接続するための費用（例えば、光回線費用）を支払わなくて済み、コストの低減を図ることができる。
【００７１】
また、無線端末１１は、マクロセルの探索の実施の可否をユーザから受け付けるようにした。これにより、フェムトセル基地局１２の設置維持を望むユーザは、マクロセルの探索を実施しないように設定することにより、フェムトセル基地局１２の設置を維持することができる。
【００７２】
なお、上記では、探索部４４ａは、ＧＰＳ制御部４３の位置情報に基づいて、自宅１０のフェムトセル基地局１２での待ち受け中であるか判断するようにした。これに対し、探索部４４ａは、フェムトセル基地局１２から自フェムトセル基地局を示す識別情報を受信して、自宅１０のフェムトセル基地局１２での待ち受け中であるか判断するようにしてもよい。
【００７３】
例えば、３ＧＰＰ（3rd Generation Partnership Project）では、基地局からのSystem Informationにより、Cell IDが報知される。探索部４４ａは、基地局から報知されるCell IDがフェムトセル基地局１２のCell IDである場合、自宅１０のフェムトセル基地局１２での待ち受け中であると判断する。
【００７４】
また、３ＧＰＰ２では、基地局からのSystem Parameters Messageにより、BASE IDが報知される。探索部４４ａは、基地局から報知されるBase IDがフェムトセル基地局１２のBase IDである場合、自宅１０のフェムトセル基地局１２での待ち受け中であると判断する。なお、フェムトセル基地局１２のCell IDやBASE IDの識別情報は、フェムトセル基地局１２の設置の際、ユーザが予め無線端末１１に記憶する。Cell IDやBASE IDの識別情報は、例えば、図３で説明したフラッシュメモリ１１ｂに記憶される。
【００７５】
［第３の実施の形態］
次に、第３の実施の形態を、図面を参照して詳細に説明する。第３の実施の形態では、無線端末がフェムトセルとマクロセルの両方に属している場合で、一方のセルを介したサーバへのアクセスが不可の場合、他方のセルを介してサーバへのアクセスを行う。第３の実施の形態における移動通信システムは、図２と同様であり、その説明を省略する。また、第３の実施の形態における無線端末のハードウェア構成例は、図３と同様であり、その説明を省略する。
【００７６】
図１０は、第３の実施の形態に係る無線端末の機能ブロックを示した図である。図１０において、図４と同じものには同じ符号を付し、その説明を省略する。
発信要求部５１は、ユーザのキー１１ｆの操作に応じて、探索部４４ａが待ち受けしているセルの基地局に対し、発信要求を行う。例えば、探索部４４ａは、フェムトセル基地局１２において待ち受け中であるとする。ユーザは、サーバ３３にアクセスしようとしたとする。この場合、発信要求部５１は、フェムトセル基地局１２に対し、発信要求を行う。または、探索部４４ａは、マクロセル基地局２１において待ち受け中であるとする。ユーザは、サーバ３４にアクセスしようとしたとする。この場合、発信要求部５１は、フェムトセル基地局１２に対し、発信要求を行う。
【００７７】
データ受信部５２は、発信要求を行った基地局を介して、サーバ３３〜３５からデータを受信する。例えば、発信要求部５１は、フェムトセル基地局１２に対して発信要求を行い、サーバ３３にアクセスした場合、データ受信部５２は、フェムトセル基地局１２を介して、サーバ３３からのデータを受信する。
【００７８】
切替え指示部５３は、図４で説明した切替え指示部４５ｃと同様の機能を有する。また、切替え指示部５３は、データ受信部５２がサーバ３３〜３５への接続失敗の情報を受信した場合、別のセルの基地局に対して発信要求を行うよう発信要求部５１に切替え指示をする。
【００７９】
例えば、ユーザは、サーバ３４にアクセスしようとしたとする。また、発信要求部５１は、探索部４４ａがフェムトセル基地局１２での待ち受け中であったために、フェムトセル基地局１２に対し発信要求を行ったとする。サーバ３４は、制御局３１と接続されていないため、データ受信部５２は、制御局３１からサーバ３４への接続失敗の情報を受信する。この場合、切替え指示部５３は、マクロセル基地局２１に対し、発信要求を行うように、発信要求部５１に切替え指示する。すなわち、切替え指示部５３は、発信要求部５１がフェムトセル基地局１２またはマクロセル基地局２１，２２の一方に発信要求をしてサーバ３３〜３５にアクセスできなかった場合、他方の基地局に発信要求するよう発信要求部５１に切替え指示をする。
【００８０】
図１１は、無線端末がフェムトセルにおいて発信要求を行った場合の移動通信システムのシーケンス図である。無線端末１１は、例えば、第２の実施の形態で説明した動作により、マクロセル基地局２１のマクロセルを探索したとする。ユーザは、マクロセルが探索されてもフェムトセル基地局１２を設置し続け、無線端末１１は、フェムトセル基地局１２とマクロセル基地局２１の両方のセルに属しているとする。
【００８１】
［ステップＳ４１］探索部４４ａは、フェムトセル基地局１２のフェムトセルにおいて待ち受け中であるとする。
［ステップＳ４２］発信要求部５１は、ユーザからのサーバ３４へのアクセス要求により、フェムトセル基地局１２へ発信要求を行う。発信要求部５１は、探索部４４ａがフェムトセル基地局１２のフェムトセルにおいて待ち受け中であるので、フェムトセル基地局１２へ発信要求を行う。
【００８２】
［ステップＳ４３］フェムトセル基地局１２は、ネットワーク３０に接続する。
［ステップＳ４４］ネットワーク３０の制御局３１は、図２に示すようにサーバ３４に接続されていない。従って、フェムトセル基地局１２は、制御局３１からサーバ３４への接続が失敗した旨の情報を受信し、その情報を無線端末１１に送信する。
【００８３】
［ステップＳ４５］データ受信部５２は、フェムトセル基地局１２からサーバ３４への接続が失敗した旨の情報を受信する。切替え指示部５３は、データ受信部５２の情報の受信を受け、発信要求部５１にマクロセル基地局２１への発信要求を行うように、切替え指示をする。発信要求部５１は、切替え指示部５３からの切替え指示により、マクロセル基地局２１へ発信要求を行う。
【００８４】
なお、マクロセル基地局２１は、制御局３２に接続され、制御局３２は、サーバ３４に接続されている。従って、データ受信部５２は、サーバ３４のデータを受信することができる。
【００８５】
図１２は、無線端末がマクロセルにおいて発信要求を行った場合の移動通信システムのシーケンス図である。無線端末１１は、例えば、第２の実施の形態で説明した動作により、マクロセル基地局２１のマクロセルを探索したとする。ユーザは、マクロセルが探索されてもフェムトセル基地局１２を設置し続け、無線端末１１は、フェムトセル基地局１２とマクロセル基地局２１の両方のセルに属しているとする。
【００８６】
［ステップＳ５１］探索部４４ａは、マクロセル基地局２１のマクロセルにおいて待ち受け中であるとする。
［ステップＳ５２］発信要求部５１は、ユーザからのサーバ３５へのアクセス要求により、マクロセル基地局２１へ発信要求を行う。発信要求部５１は、探索部４４ａがマクロセル基地局２１のフェムトセルにおいて待ち受け中であるので、マクロセル基地局２１へ発信要求を行う。
【００８７】
［ステップＳ５３］マクロセル基地局２１は、ネットワーク３０に接続する。
［ステップＳ５４］ネットワーク３０の制御局３２は、図２に示すようにサーバ３５に接続されていない。従って、マクロセル基地局２１は、制御局３２からサーバ３５への接続が失敗した旨の情報を受信し、その情報を無線端末１１に送信する。
【００８８】
［ステップＳ５５］データ受信部５２は、マクロセル基地局２１からサーバ３５への接続が失敗した旨の情報を受信する。切替え指示部５３は、データ受信部５２の情報の受信を受け、発信要求部５１にフェムトセル基地局１２への発信要求を行うように、切替え指示をする。発信要求部５１は、切替え指示部５３からの切替え指示により、フェムトセル基地局１２へ発信要求を行う。
【００８９】
なお、フェムトセル基地局１２は、制御局３１に接続され、制御局３２は、サーバ３５に接続されている。従って、データ受信部５２は、サーバ３５のデータを受信することができる。
【００９０】
このように、無線端末１１は、フェムトセルとマクロセルの両方に属している場合で、一方のセルを介したサーバへのアクセスが不可の場合、他方のセルを介してサーバへのアクセスを行うようにした。これにより、ユーザは、自分の望むサービスを受けることができる。
【００９１】
例えば、無線端末１１は、フェムトセル基地局１２でＭＣ−Ｒｅｖ．ＡやＩＰＶＴ（Internet Protocol Video Telephony）のサービスを受けることができない場合、マクロセル基地局２１にアクセスする。これにより、ユーザは、フェムトセル基地局１２で受けることができないサービスを、マクロセル基地局２１を介して受けることができる。また、同様に、ユーザは、マクロセル基地局２１で受けることができないサービスを、フェムトセル基地局１２を介して受けることができる。
【００９２】
［第４の実施の形態］
次に、第４の実施の形態を、図面を参照して詳細に説明する。第４の実施の形態では、無線端末がフェムトセルとマクロセルの両方に属している場合で、ユーザからあるサーバへのアクセス要求があると、登録された基地局に対して発信要求を行う。第４の実施の形態における移動通信システムは、図２と同様であり、その説明を省略する。また、第４の実施の形態における無線端末のハードウェア構成例は、図３と同様であり、その説明を省略する。
【００９３】
図１３は、第４の実施の形態に係る無線端末の機能ブロックを示した図である。図１３において、図４と同じものには同じ符号を付し、その説明を省略する。
サービスＴＢ（ＴＢ：Table）６１は、ユーザが受けようとするサービスと、そのサービスを受けるためのセルの種別とを関連付けて記憶する。サービスＴＢ６１は、例えば、図３に示すフラッシュメモリ１１ｂに形成される。サービスＴＢ６１の情報は、無線端末１１のユーザによって登録される。
【００９４】
図１４は、サービスＴＢのデータ構成例を示した図である。図１４に示すように、サービスＴＢ６１は、サービスの欄およびセル種別の欄を有している。
サービスの欄には、ユーザが受けようとするサービスの情報が格納される。セル種別の欄には、サービスの欄のサービスを受けるためのセルの種別の情報が格納される。
【００９５】
例えば、ユーザは、無線端末１１でＴＶ電話のサービスを受けるとする。この場合、図１４に示すサービスＴＢ６１の最下欄より、フェムトセル（ユーザの設置したフェムトセル基地局１２）を介して、ＴＶ電話サービスを提供するサーバにアクセスすることが分かる。
【００９６】
図１３の説明に戻る。サービス判断部６２は、ユーザが受けようとするサービスに基づいてサービスＴＢ６１を参照し、どのセルの基地局に対し発信要求するかを判断する。
例えば、ユーザがＴＶ電話のサービスを受けようとしたとする。この場合、サービス判断部６２は、図１４の例では、フェムトセル基地局１２に発信要求すると判断する。また、ユーザがブラウザのサービス（Ｗｅｂサーバのサービス）を受けようとしたとする。この場合、サービス判断部６２は、図１４の例では、マクロセル基地局２１，２２に発信要求すると判断する。
【００９７】
切替え指示部６３は、図４で説明した切替え指示部４５ｃと同様の機能を有する。また、切替え指示部６３は、探索部４４ａの待ち受け中の基地局と、サービス判断部６２の判断した基地局とが一致するか否か判断する。切替え指示部６３は、探索部４４ａの待ち受け中の基地局と、サービス判断部６２の判断した基地局とが一致しない場合、発信要求部６４に対し、発信要求する基地局を切替えるように指示する。
【００９８】
例えば、探索部４４ａは、フェムトセル基地局１２で待ち受け中であったとする。サービス判断部６２は、マクロセル基地局２１，２２へのアクセスを判断したとする。この場合、待ち受け中の基地局とサービス判断部６２の判断した基地局とが異なるので、切替え指示部６３は、発信要求部６４に対し、マクロセル基地局２１，２２を探索して、発信要求するように切替え指示をする。
【００９９】
また、探索部４４ａは、マクロセル基地局２１で待ち受け中であったとする。サービス判断部６２は、フェムトセル基地局１２へのアクセスを判断したとする。この場合、待ち受け中の基地局とサービス判断部６２の判断した基地局とが異なるので、切替え指示部６３は、発信要求部６４に対し、フェムトセル基地局１２を探索して、発信要求するように切替え指示をする。
【０１００】
すなわち、切替え指示部６３は、ユーザが受けようとするサービスの情報に対応する基地局と、探索部４４ａの待ち受けている基地局とが異なる場合、発信要求する基地局を切替えるように、発信要求部６４に切替え指示をする。
【０１０１】
発信要求部６４は、探索部４４ａが待ち受けしているセルの基地局に対し、発信要求を行う。ただし、発信要求部６４は、切替え指示部６３から発信要求する基地局の切替え指示があった場合、発信要求する基地局を切替える。
【０１０２】
例えば、探索部４４ａは、フェムトセル基地局１２で待ち受け中であったとする。サービス判断部６２は、発信要求の切替え指示を判断したとする。この場合、発信要求部６４は、マクロセルを探索し、探索したマクロセルのマクロセル基地局２１，２２に対し、発信要求する。
【０１０３】
また、探索部４４ａは、マクロセル基地局２１で待ち受け中であったとする。サービス判断部６２は、発信要求の切替え指示を判断したとする。この場合、発信要求部６４は、フェムトセル基地局１２を探索して、発信要求する。
【０１０４】
図１５は、サービス登録を行うディスプレイの画面例を示した図である。
図１５の（Ａ）の画面例は、ユーザが受けようとするサービスと、そのサービスを受けるためのセルの種別とを示している。例えば、図１５の（Ａ）より、‘ブラウザ’のサービスを受けるには、マクロセルで受けることが分かる。また、ＴＶ電話のサービスを受けるには、フェムトセルで受けることが分かる。
【０１０５】
図１５の（Ｂ）の画面例は、ユーザが受けようとするサービスに対し、そのサービスを受けるためのセルの種別を設定する画面を示している。例えば、ユーザは、図１５の（Ａ）に示す画面例において、ＴＶ電話のサービスを受けるセルを‘フェムトセル’から‘マクロセル’に切り替えたいとする。この場合、ユーザは、‘３’をキー１１ｆの操作によって選択する。これにより、無線端末１１のＤＩＳＰ１１ｅの画面は、図１５の（Ａ）の画面例から図１５の（Ｂ）に示す画面例に切り替わる。そして、ユーザは、キー１１ｆの操作によって、例えば、図１５の（Ｂ）の黒丸に示すように‘マクロ’を選択する。
【０１０６】
図１５の（Ｃ）の画面例は、サービス設定切替え後の画面例を示している。例えば、上述したように、ユーザは、ＴＶ電話のサービスを受けるセルを、フェムトセルからマクロセルに切り替えたとする。この場合、図１５の（Ｃ）に示すように、ＴＶ電話のサービスを受けるセルは、‘マクロ’に切り替わっている。
【０１０７】
図１６は、サービス登録をした場合の移動通信システムのシーケンス図のその１である。サービスＴＢ６１には、例えば、図１４に示す情報が登録されているとする。
［ステップＳ６１］探索部４４ａは、フェムトセル基地局１２のフェムトセルで待ち受け中であるとする。
【０１０８】
［ステップＳ６２］無線端末１１のユーザは、無線端末１１を用いて、あるサービスを受けようとしたとする。サービス判断部６２は、ユーザが受けようとするサービスに基づいてサービスＴＢ６１を参照し、どのセルの基地局に対し発信要求するかを判断する。
【０１０９】
ここでは、ユーザは、ＴＶ電話のサービスを受けようとしているとする。従って、サービス判断部６２は、サービスＴＢ６１を参照し、フェムトセル基地局１２に対し発信要求すると判断する。
【０１１０】
［ステップＳ６３］切替え指示部６３は、探索部４４ａの待ち受け中の基地局と、サービス判断部６２の判断した基地局とが一致するか否か判断する。
図１６の例では、ステップＳ６１より、探索部４４ａは、フェムトセル基地局１２で待ち受け中である。また、ステップＳ６２より、サービス判断部６２は、フェムトセル基地局１２に対し発信要求すると判断している。従って、切替え指示部６３は、探索部４４ａの待ち受け中の基地局と、サービス判断部６２の判断した基地局とが一致すると判断する。このため、切替え指示部６３は、発信要求部６４に対し、発信の切替えの指示を行わない。
【０１１１】
［ステップＳ６４］発信要求部６４は、切替え指示部６３から発信の切替え指示を受けない。従って、発信要求部６４は、待ち受け中のフェムトセル基地局１２へ発信要求を行う。
【０１１２】
図１７は、サービス登録をした場合の移動通信システムのシーケンス図のその２である。サービスＴＢ６１には、例えば、図１４に示す情報が登録されているとする。
［ステップＳ７１］探索部４４ａは、フェムトセル基地局１２のフェムトセルで待ち受け中であるとする。
【０１１３】
［ステップＳ７２］無線端末１１のユーザは、無線端末１１を用いてあるサービスを受けようとしたとする。サービス判断部６２は、ユーザが受けようとするサービスに基づいてサービスＴＢ６１を参照し、どのセルの基地局に対し発信要求するかを判断する。
【０１１４】
ここでは、ユーザは、ブラウザのサービスを受けようとしているとする。従って、サービス判断部６２は、サービスＴＢ６１を参照し、マクロセルを形成するマクロセル基地局２１，２２に対し発信要求すると判断する。
【０１１５】
［ステップＳ７３］切替え指示部６３は、探索部４４ａの待ち受け中の基地局と、サービス判断部６２の判断した基地局とが一致するか否か判断する。
図１７の例では、ステップＳ７１より、探索部４４ａは、フェムトセル基地局１２で待ち受け中である。また、ステップＳ７２より、サービス判断部６２は、マクロセル基地局２１，２２に対し発信要求すると判断している。従って、切替え指示部６３は、探索部４４ａの待ち受け中の基地局と、サービス判断部６２の判断した基地局とが一致しないと判断する。このため、切替え指示部６３は、発信要求部６４に対し、発信の切替えの指示を行う。
【０１１６】
［ステップＳ７４］発信要求部６４は、切替え指示部６３から発信の切替え指示を受ける。従って、発信要求部６４は、通信可能なマクロセル基地局２１，２２を探索し、探索したマクロセル基地局２１，２２に対し、発信要求を行う。
【０１１７】
このように、無線端末１１は、フェムトセルとマクロセルの両方に属している場合で、一方のセルを介したサーバへのアクセスが不可の場合、他方のセルを介してサーバへのアクセスを行うようにした。これにより、ユーザは、自分の望むサービスを受けることができる。
【符号の説明】
【０１１８】
１  無線端末
１ａ  探索部
１ｂ  通知部
２，３  基地局
【図１】
2013046201.tif 000003
【図２】
2013046201.tif 000004
【図３】
2013046201.tif 000005
【図４】
2013046201.tif 000006
【図５】
2013046201.tif 000007
【図６】
2013046201.tif 000008
【図７】
2013046201.tif 000009
【図８】
2013046201.tif 000010
【図９】
2013046201.tif 000011
【図１０】
2013046201.tif 000012
【図１１】
2013046201.tif 000013
【図１２】
2013046201.tif 000014
【図１３】
2013046201.tif 000015
【図１４】
2013046201.tif 000016
【図１５】
2013046201.tif 000017
【図１６】
2013046201.tif 000018
【図１７】
2013046201.tif 000019